(57)【特許請求の範囲】
【請求項１】
下端に石突（４）を有する杖（２）と、杖（２）の下端近くに、動かない様に固定された靴べら（１）とを有する靴脱着具兼杖であって、石突（４）の下端外周には、先端に行くほど厚みが薄くなる突き出し部（３）が設けられ、靴の踵の内側に靴べら（１）を挿入し、杖（２）の上部を後方に傾けると、突き出し部（３）の先端が靴底の下に入り込み、杖（２）を持ちあげると、靴を掴み持ち上げて、保持できることを特徴とする靴脱着具兼杖。
【発明の詳細な説明】
【技術分野】
【０００１】
この発明は靴履き具兼杖に関するものである。        
【背景技術】
【０００２】
次のような先行技術があった。
【特許文献１】先行技術として図５に示す私の特許、（特許公開２００１−２８６３８３、靴脱着具兼杖並びに該靴脱着具兼杖に用いる靴べら）が有り、これは手元レバーを握る力が出ない握力の弱い人でも、杖を傾けることで、靴べらと杖（棒状物）の間に、靴の踵後壁を挟んで梃子の原理で靴を掴み上げ、移動し、そのまま履く事が出来るものである。図２に示す、杖の上に腕の通せるリング（５）を設けたオプション品では、手首から先を失った方でも、リングに腕を通し、靴を掴み移動し履くことが出来、障害を持つ方には非常に喜ばれた。このオプション品は柄（６）の端をゴムバンド（８）で巻き被せ、摩擦係数を上げ、それを靴箱天板（７）の上に柄下端のゴムバンドを接触させる状態に乗せ引っ掛けておく事で、手首を抜き差し出来る状態に置き、靴脱着具兼杖を使い易い状態に置いた。
【先行技術文献】
【特許文献】
【０００３】
【特許文献１】特許公開２００１−２８６３８３、靴脱着具兼杖並びに該靴脱着具兼杖に用いる靴べら。
【特許文献２】特許公開２００９−２５４５５８、改良靴履き具。
【非特許文献】
【０００４】
【非特許文献１】意匠登録１３２２５３８、靴べら。
【発明の概要】
【発明が解決しようとする課題】
【０００５】
今日、社会の最大課題は、環境負荷の極力少ない、人々の生き甲斐である産業雇用の創出だと思う。世はテロ、詐欺、いじめ、殺人等々、解決できない事件に溢れ、被害者の大半が泣き寝入であり、起因者は刑事罰を受けても、被害者が民事責任迄賠償される事例は稀である。これが法治権社会の現実である。社会は新技術に振り回され、あまりの技術進化についていけない者は、法を犯してまでせねば生き残れない格差社会と成った。建築物の構造計算書偽造、免震構造に用いるクッションゴムの偽造、くい打ちデーターの偽造、会計書類偽造の大企業、バス会社の過当値引き、廃棄物食品の再販売、価格競争が引き起こす年齢を問わない過酷労働が引き起こすブラック企業、事件、事故等々。隙あらば、すぐに潰される、激しい競争社会。僅か１０数年前、液晶、太陽光発電大手だった企業や、競争相手の無かった電力会社も生き残りにあえいでいる。これらの要因が引き起こす課題の解決策の一つは新たな仕事を作る事だと思う。夢中で取り組める仕事が有り、失業が無ければ、課題は激減すると思う。昔、西陣織は多くの職人の雇用を守った。高価であったが、親、子、孫の代まで使った家の財産で有った。規制緩和が加速され、業種に垣根の無くなった時代になって、マネーゲームと言うか儲かるものには蟻が群がる様に資本が集中し、一気に競争相手が増え、瞬く間に、儲からない業種に成ってしまう。挙句の果てはリストラ、倒産、廃業である。過去には多額の税金が投入された事例もある。安価至上主義は物品容器を始めとする、廃棄物予備軍である、大量の使い捨て商品や、直ぐにゴミと成る商品を吐き出し、これらが産業、雇用をかろうじて支えている、とても難しい時代にしてしまった。リサイクル法の定められていない安価商品や、商品と言う安価な、廃棄物予備軍の山が世に溢れる。処分の方法も分らない、名ばかりの仮置き場を、ゴミ置き場にし、行き場の無い大量の廃棄物の大海（うみ）に人類は溺れようとしている。仕事に付けない、結婚出来ない者は、若者だけにとどまらず巷に溢れ、ストレスの行き場を何にぶつけようかと悶々としている者や、やる気を無くして空虚に部屋に閉じこもる者等、閉塞感が漂う。これらを解決する為には生産者側の価格が通る、使い捨てで無い、産業、産品の開発が不可欠と信じ、一市民が特許出願を続けている。
【０００６】
本発明は先願発明の改良である。その発明とはパーキンソン病と言う、筋力がどんどん低下し、一旦座ると自力で起立出来ない方との出会いが生んだ、立ったまま靴が掴める用具（特許公開２００１−２８６３８３、靴脱着具兼杖並びに該靴脱着具兼杖に用いる靴べら）である。それは機構的に可動部分が一切無いのに、履く状態で靴が掴める、高齢者の人にも使い易い、判りやすい物であった。手作り品を作り、露店販売した経験で、この発明では図６に示す靴の踵後部形状が裾広がりに成った靴は掴めない事が分かった。その様子を観察してみると、靴の踵後部形状がほぼ鉛直形状なら、図５に示す様に杖（２）の下端が靴踵下部後面に接触して靴踵後下部を前に押し、その接触摩擦力で靴を持ち上げる事が出来たが、靴の踵後下部形状が裾広がりに成った物では接触面が傾いている為、接触面に対して押す力が分散し、逃げる方向にも働き、直角に働く力も小さくなり、接点が滑り移動し持ち上げる事が出来なかった。
【０００７】
又接触面が滑り易い材質の靴も、摩擦力では持ち上げる事が出来なかった。つまり、お箸で食品の小豆をつまむ時、小豆の表面にお箸が直角に接触していたら掴めるが、少し斜めに成った面に当たると、つまめないのと同じ原理である。面に対して直角方向から加わる力に比べ、斜め方向から加わる力は、面に対して直角方向と平行方向とに分散するからである。三角関数に応じた力の原理である、斜面に加えられた力は、その角度に応じて直角方向と平行方向とに分散し、平行方向にも力が働き、摩擦力も減少し、滑るのである。又接触面が濡れている場合等の、摩擦が小さい場合や起らない場合も靴が掴めない特徴があった。摩擦力で持ち上げる考え方の限界であった。
【０００８】
更に紐靴の場合は甲の部分にベロとばれる布や革の面板状物が付いている。靴の踵を掴んで靴を履く特許文献１では、このベロが履く足と共に、中にずれ込んでしまうと言う短所が有った。
【課題を解決するための手段】
【０００９】
そこで本発明は図７に示す様に、杖（２）の下端に、靴の踵下端と床（地面）との間方向へ向かって入り込む、突き出し部（３）を設けた。靴底と床面の間に突き出し部（３）が入り込むと、靴を靴底から上に向かって持ち上げる事が出来、摩擦力が無かっても靴を持ち上げる事が出来た。
【００１０】
靴の踵を、靴べらと杖が跨ぐ状態で、杖の上部を後方に傾けると、靴べらと靴踵上方内面が接触する接点が支点、杖上部が力点、突き出し部と靴踵下端の接点が作用点と成り、テコの原理で突き出し部（３）の先が靴底に入り込む、この状態で杖を持ち上げると靴底を下から上に持ち上げるので、靴を掴み持ち上げる事が出来た。これを任意の位置に持ってきて床上に置き、足を靴の中に入れると靴べらに沿って滑り、足がすこっと靴の中に入る。
【００１１】
靴べらを抜く時は杖上部を前に傾けると、靴の中に入った足の踵が支点となり、突き出し部（３）が後方に動き、靴踵後面から離れるので、この時に杖を引き上げると、靴べらが靴から抜ける。
【発明の効果】
【００１２】
この発明は以上の様に、前記発明の課題を解決したものである。すなわち摩擦力を使って靴を持ち上げていた、従来の考え方では持ち上げる事が出来なかった靴でも、持ち上げる事が出来た。
【００１３】
図３は石突（４）の下端外周全てに突き出し部（３）を設けている実施例の斜視図と側面図である。この事で石突底面積が広くなり杖（２）を自立さすことも出来る。
【００１４】
更に図３は靴べら（１）を後付けできる様にした事例も示している。靴べらを弾性材料である樹脂製とし、杖の外径に嵌められる様にして、既存の杖にも取り付け出来る様にした。嵌め込んだ後はビス、ナット（９）で締め付け、杖に固定する。嵌合する力が強いとビスナット不要で杖に靴べらが付けられる。この時、嵌合接触部にゴム等の摩擦係数の高い物を一部設けておく事で、動きにくい嵌合が出来る。靴べらの後付け固定方法は文献１の先願特許の図８にも示す様に嵌合、バンド絞めの他、ビス止め、接着等既存の色々な方法、技術があるのでそれを採用する。
【００１５】
図４は杖（２）の下端に設けた台座（１０）に突き出し部（３）を設けた実施例を示す斜視図である。そして台座の中心ではなく偏心した位置に杖（２）の中心を持ってきている。
石突（４）を回す事で靴の形状、サイズに多様に対応できる。図のままでは従来の摩擦力で掴む事が出来、摩擦力で掴めない靴には石突（４）を回し、靴べらの方へ突き出し部（３）が来る位置にする事で、靴底を持ち上げて靴を掴む事が出来る。台座（１０）の存在により杖を自立させる事も出来る。石突（４）を回すとこれに繋がった台座も回り、偏心した位置に杖（２）の中心があるので、回す位置により、靴べら（１）と台座（１０）側面との間隔寸法が変わるので、多種の靴の大きさや形状に対応出来る。この案では石突（４）、台座（１０）、突き出し部（３）を一体成型したものを示しているが、個々に分れた物を一体化する接着等の技術をもって一体化する事でも良い。
【００１６】
更にベロのある靴の場合には図１に示す突き出し部（３）を靴の甲の中に入れ、突き出し部（３）の先端でベロの下から上に向かってベロを持ち上げる状態の時に足を差し入れ、その後突き出し部（３）を一旦抜き出し、足踵後方の所に靴べらを入れる事で、ベロをずらす事なく靴を履く事が出来た。
【００１７】
この発明は靴べら（１）と杖（２）と突き出し部（３）が一体となって効果を発揮する発明である。物の製作技術が高度に発達した今日において、これらを部分的に製作することは簡単である。それを個々に売って、買った顧客が自分で一体化すれば特許権は及ばない。
そこで特許請求の範囲を各部分にも権利が及ぶ書き方をした。それが人々の生き甲斐である雇用を守り、廃棄物を増やさない安価商品の増加につながらない唯一の方法だと信じるからである。それが特許法の目的でもあると思う。オリンピックエンブレム問題で著作権が注目された。特許権が出願後２０年に対し、著作権は死後５０年もあるらしい。どの権利にしても内容程度の差があるのは否めないが、何の審査も無しに、強大な権利に成るものが、世にはばかる時代に脅威を感じる。物が売れるにはその良さが顧客に伝わらないと売れない。それには広報、宣伝が必要だが、現実にこれを実行するには莫大エネルなギーと費用がかかる。個人財産をはたいても通用するようなものでは無い。文献１の発明も企業への売り込み、露店販売等、膨大なエネルギーをかけてきた。サラリーマンには分らないだろうが製作に２日かかるものを１日かけて露店販売しても、一本も売れない日が殆どである。露店販売は嫌がらせや、ショバ代等昔からの権利を強要する人との戦いもある。信用が無いので原価以下でないと売れない、店舗を構えてもお客を誘導することは至難の業である。だからこそ露天商から始めた。明日はホームレスかと感じながらも、もう１５年もの歳月がアッと言う間に過ぎた。世に浸透するには２０年は短い。本来発明など給料の貰えない個人がするものでは無いのかも知れない。しかし福祉の世界で見た、五体満足がどれ程幸せな事かを痛感させてくれた経験が、今を支えている。
【図面の簡単な説明】
【００１８】
【図１】杖（２）の下端に突き出し部（３）を設けた状態を示す斜視図。
【図２】杖（２）の上端にリング（５）を設けた状態を説明する斜視図。
【図３】突き出し部（３）を石突（４）の外周全てに設けた実施例の斜視図と側面図。
【図４】杖（２）の下端に設けた台座（１０）に突き出し部（３）を設けた実施例を示す斜視図。
【図５】特許文献１の、靴を持ち上げる状態を説明する側面断面図。
【図６】特許文献１の技術では、裾広がりの踵の靴が掴めない様子を表す説明図。
【図７】杖（２）の下端に突き出し部（３）を設けた本発明の側面断面図。
【図８】デザインした靴べらに突き出し部（３）を設けた実施例図。
【発明を実施するための形態】
【００１９】
図１に示す如く、現実的には世に流通している大半の杖には、石突（４）と言われるゴムキャップが付いている。この石突の下端靴べら方向に突き出し部（３）を設ける事で目的効果は達成出来る。勿論ゴムの石突の無い棒である杖でも、杖下端に突き出し部（３）を設ける事で目的効果は達成出来る。例えばゴムキャップ製の石突が付いていない、ただの棒であっても、棒の下端底面に五円玉程度の座金の端を、杖外側面より外へ、５ｍｍほどはみ出した状態で突き出し、座金の穴から棒に向かってビスをねじ込む事で、杖底に突き出し部（３）を設けた本発明の靴履き具兼杖が出来上がる。
【実施例１】
【００２０】
図３は石突（４）の下端外周面全てに突き出し部を設けている実施例の斜視図と側面図である。この事で石突底面積が広くなり杖（２）を自立さすことも出来る。
【００２１】
更に図３は靴べらを後付け出来る形にした事例も示している。靴べらを弾性材料である樹脂製とし、杖の外径に嵌められる様にして既存の杖にも取り付け出来る様にした。嵌め込んだ後はビス、ナット（９）で締め付け、杖に固定する。後付け固定方法は文献１の先願特許の図８にも示す様に嵌合、バンド絞めの他ビス止め、接着等色々な方法、技術があるのでそれを採用する。
【実施例２】
【００２２】
図４は杖（２）の下端に設けた台座（１０）に突き出し部（３）を設けた実施例を示す斜視図である。そして台座の中心ではなく偏心した位置に杖（２）の中心を持ってきている。
石突（４）を回す事で靴の形状、サイズに多様に対応できる。図のままでは従来の摩擦力で掴む事が出来、摩擦力で掴めない靴には石突（４）を回し、靴べらの方へ突き出し部（３）が来る位置にする事で、靴底を持ち上げて靴を掴む事が出来る。台座（１０）の存在により杖を自立させる事も出来る。台座を回すと偏心した位置に杖（２）の中心があるので回す位置により、靴べら（１）と台座（１０）側面との間隔寸法が変わるので多種の靴に対応出来る。
【産業上の利用可能性】
【００２３】
少子高齢化社会に成って高齢者が増え、若者の生き甲斐である産業が賃金の安い国際競争に晒される。環境負荷の極力少ない、人々の生き甲斐である、産業の創出は不可欠である。高齢者を問わず、全ての人に便利なユニバーサルデザインの靴べらとして、世界にも発信出来る。
【００２４】
本発明は杖（２）、靴べら（１）、突き出し部（３）の三点を組み合わせて成り立つものである。現代は多くの企業がモノづくりの技術と生産設備をもっている。この発明も簡単に作れる企業はたくさんある。その企業が前記三点を別個に生産し、販売し、顧客がこの三点を自分で組み立てれば特許権は及ばぬところとなる。それでは価格競争に晒されない雇用産業の創造を目的とする私の理念とかけ離れたものと成ってしまう。従って組み立てれば完成品として本発明品と成る前記三点の部品にも本発明が及ぶよう請求項を書いた。
【符号の説明】
【００２５】
１、靴べら
２、杖
３、突き出し部
４、石突
５、リング
６、柄
７、靴箱天板
８、ゴムバンド
９、ビス、ナット
１０、台座
１１、裾広がりの踵
【図１】
0006481086.tif 000002
【図２】
0006481086.tif 000003
【図３】
0006481086.tif 000004
【図４】
0006481086.tif 000005
【図５】
0006481086.tif 000006
【図６】
0006481086.tif 000007
【図７】
0006481086.tif 000008
【図８】
0006481086.tif 000009